(57)【要約】【課題】収容ケース内における電極体の容量の向上が図られた蓄電装置を提供する。【解決手段】蓄電装置は、電極体を収容する収容ケース２と、収容ケース２の外部に設けられた外部端子４と、収容ケース２の外部に設けられた電流遮断装置６と、を備え、電流遮断装置６は、収容ケース２内の内圧が所定圧よりも小さいときには、外部端子４および電極体３の電気的に接続し、収容ケース２内の内圧が所定圧以上となると、外部端子４および電極体３の電気的な接続を遮断する。【選択図】図１
2020068058.tif 000002
【特許請求の範囲】
【請求項１】
電極体と、
前記電極体を収容する収容ケースと、
前記収容ケースの外部に設けられた外部端子と、
前記収容ケースの外部に設けられた電流遮断装置と、
を備え、
前記電流遮断装置は、前記収容ケース内の内圧が所定圧よりも小さいときには、前記外部端子および前記電極体の電気的に接続し、前記収容ケース内の内圧が所定圧以上となると、前記外部端子および前記電極体の電気的な接続を遮断する、蓄電装置。
【発明の詳細な説明】
【技術分野】
【０００１】
本開示は、電流遮断装置を備えた蓄電装置に関する。
【背景技術】
【０００２】
従来から電流遮断装置を備えた蓄電装置について各種提案されている（特許文献２〜４）。たとえば、特開２０１５−１２５７９８号公報に記載された蓄電装置は、電極体と、収容ケースと、収容ケース内に設けられた電流遮断装置とを備える。
【０００３】
収容ケースは、ケース本体と、蓋とを含む。ケース本体は、上方に向けて開口する開口部が形成されており、蓋はケース本体の開口部を閉塞するように設けられている。
【０００４】
蓋の上面には、外部端子が設けられている。電流遮断装置は、蓋の下面に設けられており、電極体は電流遮断装置の下方に配置されている。電極体は、扁平な形状であって、略直方体形状に形成されている。
【０００５】
電流遮断装置は、収容ケース内の内圧が所定圧よりも小さいときには、外部端子および電極体を電気的に接続し、収容ケース内の内圧が所定圧力以上となると、外部端子および電極体の電気的な接続を遮断する。
【先行技術文献】
【特許文献】
【０００６】
【特許文献１】特開２０１５−１２５７９８号公報
【特許文献２】特許第５９４５９８９号公報
【特許文献３】特開２０１８−００６３１０号公報
【特許文献４】米国特許出願公開第２０１４／０１９３６７５号明細書
【発明の概要】
【発明が解決しようとする課題】
【０００７】
特開２０１５−１２５７９８号公報に記載された蓄電装置においては、蓋の下面に電流遮断装置が設けられているため、電流遮断装置の下方に配置される電極体の高さが低く抑えられている。そのため、収容ケース内の容積を一定とした場合には、電極体の容量が小さくなっている。
【０００８】
本開示は、上記のような課題に鑑みてなされており、その目的は、収容ケース内における電極体の容量の向上が図られた蓄電装置を提供することである。
【課題を解決するための手段】
【０００９】
本開示に係る蓄電装置は、電極体と、前記電極体を収容する収容ケースと、前記収容ケースの外部に設けられた外部端子と、前記収容ケースの外部に設けられた電流遮断装置とを備え、前記電流遮断装置は、前記収容ケース内の内圧が所定圧よりも小さいときには、前記外部端子および前記電極体の電気的に接続し、前記収容ケース内の内圧が所定圧以上となると、前記外部端子および前記電極体の電気的な接続を遮断する。
【００１０】
上記の蓄電装置によれば、電流遮断装置が収容ケースの外部に設けられているため、収容ケース内における電極体の容量を大きくすることができる。
【発明の効果】
【００１１】
本開示に係る蓄電装置によれば、収容ケース内における電極体の容量の向上を図ることができる。
【図面の簡単な説明】
【００１２】
【図１】実施の形態に係る蓄電装置１を示す断面斜視図である。
【図２】正極端子４および電流遮断装置６と、その周囲の構成を示す断面図である。
【図３】正極端子４および電流遮断装置６と、その周囲の構成を示す断面斜視図である。
【図４】電流遮断装置６を示す断面図である。
【図５】電流遮断装置６を示す断面斜視図である。
【図６】リベット３０の上端面５１およびその周囲の構成を示す分解斜視図である。
【図７】閉塞板３２と、貫通孔４９とを示す平面図である。
【図８】正極端子４を示す断面斜視図である。
【図９】閉塞板３２が破断した状態を示す断面図である。
【図１０】比較例に係る蓄電装置１Ａを模式的に示す模式図である。
【図１１】本実施の形態に係る蓄電装置１を模式的に示す模式図である。
【図１２】第１取付工程の第１工程を示す分解斜視図である。
【図１３】第１取付工程の第２工程を示す分解斜視図である。
【図１４】第１取付工程の第３工程を示す断面斜視図である。
【図１５】第１取付工程の第４工程を示す断面斜視図である。
【図１６】第１取付工程の第５工程を示す断面斜視図である。
【図１７】第２取付工程の第１工程を示す断面斜視図である。
【図１８】第２取付工程の第２工程を示す断面斜視図である。
【図１９】第２取付工程の第３工程を示す断面斜視図である。
【発明を実施するための形態】
【００１３】
図１から図１９を用いて、本実施の形態に係る蓄電装置について説明する。図１から図１９に示す構成のうち、同一または実質的に同一の構成については、同一の符号を付して重複した説明を省略する。なお、実施の形態に示す構成において、請求項に記載された構成に対応する構成には、括弧書きで請求項の構成を併記する場合がある。
【００１４】
図１は、実施の形態に係る蓄電装置１を示す断面斜視図である。
蓄電装置１は、収容ケース２と、電極体３と、正極端子４と、負極端子５と、電流遮断装置６と、正極集電板７と、負極集電板８とを備える。
【００１５】
収容ケース２は、ケース本体１０と、蓋１１とを含み、ケース本体１０および蓋１１は、たとえば、アルミニウム合金などによって形成されている。ケース本体１０は、有底状に形成されており、ケース本体１０には、上方に向けて開口する開口部が形成されている。
【００１６】
蓋１１はケース本体１０の開口部を閉塞するように設けられており、蓋１１はケース本体１０の開口縁部に溶接されている。
【００１７】
電極体３は、複数の正極シートと、複数のセパレータと、複数の負極シートとを含む。なお、正極シートおよび負極シートの間にはセパレータが配置されている。
【００１８】
正極シートは、正極金属箔と、正極合材層とを含む。正極金属箔は、たとえば、アルミニウムなどによって形成されている。正極合材層は、正極金属箔の表面に塗布されている。なお、正極金属箔には、上方に延び出る正極タブ１２が形成されている。
【００１９】
負極シートは、負極金属箔と、負極合材層とを含む。負極金属箔は、銅などによって形成されている。負極合材層は、負極金属箔の表面に塗布されている。なお、負極金属箔には、上方に向けて延び出る負極タブ１３が形成されている。
【００２０】
正極端子４および負極端子５は、蓋１１の上面に設けられており、正極端子４および負極端子５は、幅方向Ｗに間隔をあけて設けられている。
【００２１】
正極集電板７は、蓋１１の下面側に配置されている。正極集電板７には、複数の正極タブ１２が溶接されている。負極集電板８は、蓋１１の下面に配置されている。負極集電板８には複数の負極タブ１３が溶接されている。
【００２２】
図２は、正極端子４および電流遮断装置６と、その周囲の構成を示す断面図であり、図３は、正極端子４および電流遮断装置６と、その周囲の構成を示す断面斜視図である。
【００２３】
蓄電装置１は、正極集電板７および蓋１１の間に設けられたホルダー１５を含む。ホルダー１５は、樹脂などの絶縁材料によって形成されており、ホルダー１５は、正極集電板７および蓋１１の間を絶縁している。
【００２４】
正極集電板７には貫通孔１６が形成されている。ホルダー１５には、ホルダー１５の上面から上方に向けて突出する中空状の筒部２９が形成されている。筒部２９には、ホルダー１５の上面から下面に貫通する貫通孔１７が形成されている。そして、ホルダー１５の筒部２９が、蓋１１に形成された貫通孔１８に挿入されている。
【００２５】
正極端子４は、インシュレータ２０と、端子２１と、接続板２２と、ナット２３とを含む。なお、図３においては、ナット２３は図示されていない。インシュレータ２０は、蓋１１の上面に設けられており、インシュレータ２０は樹脂などの絶縁材料によって形成されている。
【００２６】
インシュレータ２０は、幅方向Ｗに長尺に形成されている。負極端子５側に位置するインシュレータ２０の一端側には凹部２７が形成されており、正極端子４の他端側には、貫通孔２８が形成されている。
【００２７】
端子２１はインシュレータ２０の上面に設けられており、端子２１は、インシュレータ２０の一端部側に配置されている。端子２１は、座部２４と、軸部２５とを含む。
【００２８】
座部２４は、インシュレータ２０の凹部２７内に配置されており、軸部２５は、座部２４から上方に突出するように形成されている。軸部２５の周面には、ネジ山が形成されている。
【００２９】
接続板２２は、インシュレータ２０の上面側に配置されており、接続板２２は導電性の金属材料によって形成されている。
【００３０】
接続板２２の一端側には、貫通孔２６が形成されており、接続板２２の他端側にはカップ部３７が形成されている。貫通孔２６は、接続板２２の上面から下面に達するように形成されている。カップ部３７は、接続板２２の上面に形成されており、カップ部３７は上方に向けて開するように形成されている。
【００３１】
端子２１の座部２４は、接続板２２の下面側に配置されており、軸部２５は貫通孔２６に挿入されている。なお、軸部２５は、接続板２２の上面よりも上方に突出しており、ナット２３は、接続板２２の上面側において、端子２１に螺着している。
【００３２】
電流遮断装置６は、リベット３０と、スペーサ３１と、閉塞板３２と、反転板３３と、を含む。
【００３３】
図４は、電流遮断装置６を示す断面図であり、図５は、電流遮断装置６を示す断面斜視図である。
【００３４】
カップ部３７は、底板３８と、周壁３９と、鍔部４０とを含む。底板３８は、円板状に形成されており、底板３８の中央には貫通孔４２が形成されている。
【００３５】
周壁３９は、底板３８の外周縁部から上方に立ち上がるように形成されている。鍔部４０は、周壁３９の上端から水平方向に張り出すように形成されている。鍔部４０の内周面側には、環状に延びる段差部４１が形成されている。
【００３６】
スペーサ３１は、樹脂などの絶縁材料によって形成されており、スペーサ３１は筒部４３と、鍔部４４とを含む。筒部４３は筒状に形成されており、筒部４３内には貫通孔４５が形成されている。筒部４３は、底板３８の貫通孔４２に挿入されている。鍔部４４は、筒部４３の上端部から水平方向に広がるように形成されている。鍔部４４は、底板３８の上面に配置されている。
【００３７】
リベット３０は、筒部４６と、係合部４７，４８とを含む。筒部４６は、スペーサ３１の貫通孔４５と、インシュレータ２０の貫通孔２８と、ホルダー１５の貫通孔１７と、正極集電板７の貫通孔１６とを通るように配置されている。
【００３８】
ここで、蓋１１の貫通孔１８内にホルダー１５の筒部２９が挿入されており、筒部２９の貫通孔１７にリベット３０が挿入されている。このため、蓋１１がリベット３０に接触することが抑制されており、ホルダー１５は蓋１１およびリベット３０を絶縁している。
【００３９】
係合部４７は筒部４６の下端部に形成されており、係合部４７は、筒部４６の周面から水平方向に延びるように形成されている。そして、係合部４７は、正極集電板７の下面と接触すると共に、正極集電板７の下面に沿って延びている。このため、正極集電板７と、リベット３０とは電気的に接続されている。
【００４０】
係合部４８は筒部４６の上端部に形成されており、係合部４８は、筒部４６の周面から水平方向に延びるように形成されている。そして、係合部４８は、スペーサ３１と係合している。
【００４１】
ここで、スペーサ３１は、絶縁材料によって形成されており、係合部４８は、カップ部３７の底板３８に達していない。このため、係合部４８と、カップ部３７とは直接的には電気的に接続されていない。
【００４２】
リベット３０には貫通孔４９が形成されており、貫通孔４９は、リベット３０の下端面５０から上端面５１に達するように形成されている。そして、下端面５０に形成された貫通孔４９の開口部は、収容ケース２内に位置している。
【００４３】
閉塞板３２は、上端面５１にレーザ溶接されており、閉塞板３２は、溶接部５２によって上端面５１に固定されている。
【００４４】
図６は、リベット３０の上端面５１およびその周囲の構成を示す分解斜視図である。閉塞板３２の下面には、略環状に延びる切欠部５９が形成されている。閉塞板３２において、切欠部５９が位置する部分の厚さは、切欠部５９以外の部分の厚さよりも薄い。リベット３０の上端面５１は、平坦面状に形成されている。貫通孔４９は、上端面５１の近傍において、拡径するように形成されている。このため、貫通孔４９を形成するリベット３０の内周面は、円筒面５３と、テーパ面５４とを含み、テーパ面５４は円筒面５３よりも上端面５１側に位置している。
【００４５】
図７は、閉塞板３２と、貫通孔４９とを示す平面図である。閉塞板３２には、周面５７から閉塞板３２の中央に向けて延びるカット部５８が形成されている。なお、カット部５８は、閉塞板３２の上面から下面に達している。カット部５８およびテーパ面５４を平面視すると、カット部５８は、テーパ面５４に差し掛かっている。カット部５８およびテーパ面５４によって、通気口６０が形成されている。具体的には、図４に示すように、通気口６０は、貫通孔４９と連通している。
【００４６】
図４及び図５に戻って、反転板３３は、略円板状に形成されている。反転板３３は、弾性変形可能に形成されており、導電性の金属材料から形成されている。
【００４７】
反転板３３は、中央板６１と、テーパ部６２と、鍔部６３とを含む。中央板６１は反転板３３の中央に位置している。中央板６１は、溶接部１９によって、閉塞板３２に固定されている。溶接部１９は、閉塞板３２に形成された切欠部５９よりも、閉塞板３２の中央側に位置している。具体的には、溶接部１９は、略環状に形成された切欠部５９の内側に位置している。
【００４８】
テーパ部６２は、中央板６１の外周縁部に接続されており、中央板６１の外周縁部から離れるにつれて、上方に向かうにように形成されている。そして鍔部６３は、テーパ部６２の外周縁部に形成されており、鍔部６３は、テーパ部６２の外周縁部から水平方向に張り出すように形成されている。
【００４９】
鍔部６３はカップ部３７の段差部４１に配置されており、鍔部６３の外周縁部は、溶接部３４によってカップ部３７に固定されている。なお、溶接部３４は環状に形成されている。
【００５０】
このように、反転板３３がカップ部３７の開口部を閉塞しており、カップ部３７および反転板３３によって作動圧室６４が形成されている。なお、作動圧室６４は、通気口６０を通して、貫通孔４９と連通している。
【００５１】
このため、貫通孔４９および通気口６０によって、作動圧室６４と、収容ケース２内の空間とは互いに連通している。
【００５２】
蓄電装置１は、シール部材３５を備えている。シール部材３５は、環状に形成されており、たとえば、Ｏリングである。
【００５３】
シール部材３５は、インシュレータ２０の貫通孔２８内であって、リベット３０の筒部４６の外周側に配置されている。さらに、シール部材３５は、カップ部３７の底板３８と、蓋１１との間に挟みこまれており、シール部材３５は、カップ部３７の底板３８と、蓋１１とのいずれにも密着している。これにより、収容ケース２内のガスが、貫通孔１７を通って、外部に漏れだすことが抑制されている。
【００５４】
次に、負極端子５の構成について説明する。図８は、正極端子４を示す断面斜視図である。
【００５５】
蓋１１の下面のうち、負極端子５の下方に位置する部分には、負極集電板８が配置されている。負極集電板８は、板部６６と、リベット６７とを含み、板部６６には電極体３の負極タブ１３が複数溶接されている。リベット６７は板部６６の上面から上方に突出するように形成されており、リベット６７は、軸部６８と、軸部６８の上端に形成された係合部６９とを含む。
【００５６】
蓋１１および板部６６の間には、ホルダー７０が設けられている。ホルダー７０は、樹脂などの絶縁材料によって形成されている。ホルダー７０は、天板７１と、天板７１の上面から上方に突出する筒部７２とを含む。
【００５７】
天板７１は、負極集電板８の板部６６の上面に配置されている。筒部７２は、中空状に形成されており、筒部７２は、蓋１１に形成された貫通孔内に挿入されている。そして、筒部７２内に軸部６８が挿入されている。これにより、ホルダー７０によって、負極集電板８および蓋１１の間が絶縁されている。
【００５８】
負極端子５は、インシュレータ７５と、端子７６と、接続板７７とを含む。インシュレータ７５は、蓋１１の上面に設けられている。
【００５９】
端子７６は、インシュレータ７５の上面に設けられており、端子７６は、座部７８と、軸部７９とを含む。
【００６０】
接続板７７は、インシュレータ７５の上面に設けられている。接続板７７は、金属などの導電性材料によって形成されている。端子７６の座部７８は、接続板７７の下面側に配置されている。軸部７９は接続板７７に形成された貫通孔に挿入されており、軸部７９は接続板７７の上面よりも上方に突出している。なお、軸部７９の外周面には、図示されていないナットが螺着しており、このナットによって、端子７６の座部７８と、接続板７７とが密着する。
【００６１】
そして、負極集電板８の軸部６８は、筒部７２と、蓋１１に形成された貫通孔と、インシュレータ７５に形成された貫通孔と、接続板７７に形成された貫通孔とに挿入されている。
【００６２】
係合部６９は、軸部６８の上端から水平方向に張り出すように形成されている。そして、係合部６９は、接続板７７の上面と係合している。なお、係合部６９の外周縁部は、接続板７７に溶接されている。
【００６３】
この負極端子５においては、電極体３の複数の負極タブ１３が、負極集電板８に溶接されており、電極体３および負極集電板８が電気的に接続されている。負極集電板８は、リベット６７を通して、接続板７７に電気的に接続されており、接続板７７は端子７６に電気的に接続されている。
【００６４】
上記のように構成された蓄電装置１において、電流遮断装置６の動作などについて説明する。
【００６５】
図４において、収容ケース２内の内圧Ｐ０が圧力Ｐ１よりも低い場合について説明する。
【００６６】
作動圧室６４は、カット部５８と、通気口６０と、貫通孔４９とを通して、収容ケース２内と連通している。このため、作動圧室６４内の内圧と、収容ケース２内の内圧Ｐ０とは実質的に一致している。
【００６７】
そして、収容ケース２内の内圧Ｐ０が圧力Ｐ１よりも低いときには、作動圧室６４内の内圧も圧力Ｐ１よりも低い。この際、蓄電装置１の外部の気圧と、作動圧室６４内の内圧との差が小さいため、作動圧室６４および収容ケース２内の差圧によって、反転板３３が外方に向けて膨らむように変形する応力は小さい。そのため、内圧Ｐ０が圧力Ｐ１よりも小さいときには、切欠部５９において、閉塞板３２が破断していない。
【００６８】
このような状態において、電極体３から端子２１までの電気的な接続状態について説明する。図２において、電極体３の正極タブ１２は、正極集電板７に電気的に接続されている。図４において、リベット３０は、正極集電板７に電気的に接続されている。リベット３０は、閉塞板３２に電気的に接続されており、閉塞板３２は、反転板３３に電気的に接続されている。反転板３３は、接続板２２のカップ部３７に電気的に接続されており、接続板２２は、図２に示す端子２１に電気的に接続されている。
【００６９】
このように、収容ケース２内の内圧Ｐ０が圧力Ｐ１よりも小さいときには、電極体３および端子２１が電流遮断装置６を通して、電気的に接続されている。
【００７０】
次に、収容ケース２内の内圧Ｐ０が圧力Ｐ１以上となったときについて説明する。図４において、作動圧室６４は収容ケース２内と連通しているため、作動圧室６４内の内圧も圧力Ｐ１以上となる。
【００７１】
作動圧室６４内の内圧が圧力Ｐ１以上となると、反転板３３の外側の圧力（大気圧）と、作動圧室６４の内圧との差が大きくなり、閉塞板３２は反転板３３によって上方に所定以上の荷重で引張られる。
【００７２】
閉塞板３２および反転板３３を連結している溶接部１９は切欠部５９よりも閉塞板３２の中央側に位置しており、閉塞板３２およびリベット３０を連結している溶接部５２は、切欠部５９よりも、閉塞板３２の外周側に位置している。
【００７３】
このため、閉塞板３２は、閉塞板３２の中央側が上方に引っ張られる一方で、閉塞板３２の外周側は、閉塞板３２に固定されている状態となる。そして、切欠部５９は、溶接部５２および溶接部１９の間に形成されているため、切欠部５９に応力が集中して、切欠部５９において亀裂が進展して、閉塞板３２が破断する。
【００７４】
図９は、閉塞板３２が破断した状態を示す断面図である。作動圧室６４内の内圧が圧力Ｐ１以上となると、反転板３３は上方に膨らむように反転変形する。
【００７５】
このように、反転板３３が変形すると、反転板３３が閉塞板３２から離れ、反転板３３およびリベット３０は、電気的に切断される。これにより、電極体３および端子２１の電気的な接続も遮断される。このように、本実施の形態に係る蓄電装置１においても、収容ケース２の内圧Ｐ０圧力Ｐ１よりも高くなると、電流遮断装置６によって、電極体３および端子２１の電気的な接続を遮断することができる。
【００７６】
次に比較例に係る蓄電装置１Ａと、本実施の形態に係る蓄電装置１とを比較して、蓄電装置１の優位性について説明する。
【００７７】
図１０は、比較例に係る蓄電装置１Ａを模式的に示す模式図であり、図１１は、本実施の形態に係る蓄電装置１を模式的に示す模式図である。
【００７８】
上記の実施の形態に係る蓄電装置１においては、収容ケース２の外部に電流遮断装置６が設けられている。
【００７９】
蓄電装置１Ａは、電流遮断装置６Ａの配置位置を除いて、実質的に蓄電装置１と同様に構成されている。蓄電装置１Ａの収容ケース２Ａの寸法および内容積と、蓄電装置１の収容ケース２の寸法および内容積は同じである。
【００８０】
蓄電装置１Ａは、収容ケース２Ａと、電極体３Ａと、正極端子４Ａと、負極端子５Ａと、電流遮断装置６Ａと、正極集電板７Ａと、負極集電板８Ａとを備える。
【００８１】
電極体３Ａは、正極タブ１２Ａおよび負極タブ１３Ａを含む。正極タブ１２Ａは正極集電板７Ａに溶接されており、負極タブ１３Ａは負極集電板８Ａに溶接されている。
【００８２】
電流遮断装置６Ａは、収容ケース２Ａ内に設けられている。電流遮断装置６Ａは、収容ケース２Ａ内の内圧が圧力Ｐ１以上となると、正極集電板７Ａおよび正極端子４Ａの電気的な接続を遮断する。
【００８３】
一般的に、正極タブ１２Ａや負極タブ１３Ａの高さＨ１，Ｈ２を電流遮断装置６Ａの高さＨＡよりも低くすることは可能である。たとえば、高さＨ１，Ｈ２が４ｍｍ程度の正極タブ１２Ａや負極タブ１３Ｂを形成することは可能である。その一方で、電流遮断装置６Ａの高さＨＡは、たとえば、５．５ｍｍ程度である。
【００８４】
さらに、電流遮断装置６Ａと電極体３Ａとの間で短絡することを抑制するために、電流遮断装置６Ａおよび電極体３Ａの間に数ｍｍ程度のクリアランスＣ１を設ける必要が生じる。
【００８５】
そのため、比較例に係る電極体３Ａの高さＨ３は、収容ケース２Ａの高さＨ０と、電流遮断装置６Ａの高さＨＡと、クリアランスＣ１とによって主に設定される。
【００８６】
図１１において、電極体３の高さＨ１３は、主に、正極タブ１２の高さＨ１２や負極タブ１３の高さＨ１３と、収容ケース２の高さＨ１０によって設定される。
【００８７】
そして、正極タブ１２の高さＨ１１や負極タブ１３の高さＨ１２は、４ｍｍ程度にまで低く抑えることができる。その結果、電極体３の高さＨ１３を電極体３Ａの高さＨ３よりも高くすることができる。
【００８８】
その結果、蓄電装置１は蓄電装置１Ａよりも、収容ケース２の内容積に対して電極体３の容積が占める割合を高めることができる。すなわち、本実施の形態に係る蓄電装置１によれば、高容量バッテリや高容量キャパシタなどを構成することができる。
【００８９】
図１１に示すように、蓄電装置１においては、電極体３の上方の空間は狭い。そのため、蓄電装置１の収容ケース２内に形成されるデッドスペースは、蓄電装置１Ａの収容ケース２Ａ内に形成されるデッドスペースよりも小さい。
【００９０】
そのため、電極体３からガスが発生した場合と、電極体３Ａからガスが発生した場合を比較すると、蓄電装置１の方が収容ケース２内の内圧が上昇しやすい。
【００９１】
その結果、蓄電装置１の蓋１１は、蓄電装置１Ａの蓋１１Ａよりも変形しやすい。その一方で、蓄電装置１においては、反転板３３を蓋１１に直接設けていないため、蓋１１が変形したとしても、蓋１１の変形による反転板３３への影響を小さく抑えることができる。これにより、反転板３３が反転するときの作動圧である圧力Ｐ１が変動することを抑制することができる。次に、上記のように構成された蓄電装置１の製造方法について簡単に説明する。
【００９２】
蓄電装置１を組立てる工程は、蓋１１に正極端子４、電流遮断装置６および正極集電板７を取り付ける第１取付工程と、蓋１１に負極端子５および負極集電板８を取り付ける第２取付工程と、電極体を取り付ける第３取付工程と、挿入工程と、蓋溶接工程と、電解液注入工程とを含む。
【００９３】
図１２は、第１取付工程の第１工程を示す分解斜視図である。この図１５に示す工程は、正極集電板７と、ホルダー１５と、蓋１１と、シール部材３５と、インシュレータ２０と、端子２１と、接続板２２と、リベット３０Ｂと、閉塞板３２とを準備する準備工程である。この準備工程においては、リベット３０Ｂには、係合部４７は形成されていない。
【００９４】
図１３は、第１取付工程の第２工程を示す分解斜視図である。この第２工程においては、第１取付工程の第１工程を示す分解斜視図である。この図１５に示す工程は、正極集電板７と、ホルダー１５と、蓋１１と、インシュレータ２０と、端子２１と、シール部材３５と、インシュレータ２０と、端子２１と、リベット３０Ｂと順次重ねあわせて、リベット３０Ｂを各貫通孔に挿入する工程である。
【００９５】
図１４は、第１取付工程の第３工程を示す断面斜視図である。この第３工程は、かしめ工程と、溶接工程とを含む。
【００９６】
かしめ工程においては、リベット３０Ｂの下端部をかしめて、係合部４７を形成する。溶接工程においては、係合部４７の外周縁部を正極集電板７に溶接する。この溶接工程においては、係合部４７の全周に亘って、溶接部を形成する必要はなく、スポット的に係合部４７の外周縁部と正極集電板７とを溶接するようにしてもよい。なお、溶接方法として、レーザ溶接を採用してもよい。
【００９７】
図１５は、第１取付工程の第４工程を示す断面斜視図である。この第４工程においては、リベット３０の係合部４８に閉塞板３２を配置する配置工程と、閉塞板３２をリベット３０の係合部４８に溶接する溶接工程とを含む。この溶接工程においても、閉塞板３２および係合部４８をスポット的に溶接するようにしてもよい。なお、第４工程の溶接工程においても、たとえば、レーザ溶接を採用することができる。
【００９８】
図１６は、第１取付工程の第５工程を示す断面斜視図である。この第５工程は、反転板３３を配置する配置工程と、反転板３３をカップ部３７に溶接する溶接工程とを含む。この溶接工程においては、反転板３３の外周縁部の全周に亘ってレーザ溶接を施して、溶接部３４を環状に形成する。
【００９９】
このようにして、蓋１１に、正極端子４、電流遮断装置６および正極集電板７を取り付けることができる。
【０１００】
次に、蓋１１に負極端子５および負極集電板８を取り付ける第２取付工程について説明する。
【０１０１】
図１７は、第２取付工程の第１工程を示す断面斜視図である。この第１工程は、負極集電板８と、ホルダー７０と、蓋１１と、インシュレータ７５と、端子７６と、接続板７７とを準備する工程である。この際、負極集電板８のリベット６７Ｂには、係合部６９は形成されていない。
【０１０２】
図１８は、第２取付工程の第２工程を示す断面斜視図である。この第２工程は、蓋１１に、負極集電板８と、ホルダー７０と、インシュレータ７５と、端子７６と、接続板７７とを順次取り付ける工程である。
【０１０３】
図１９は、第２取付工程の第３工程を示す断面斜視図である。この第３工程においては、リベット６７Ｂの先端部にかしめ加工を施して係合部６９を形成する。これにより、負極端子５、負極集電板８およびホルダー７０が蓋１１に固定される。
【０１０４】
図１において、第３取付工程において、電極体３の正極タブ１２を正極集電板７に溶接し、電極体３の負極タブ１３を負極集電板８に溶接する。これにより、電極体３が取付けられた蓋１１が形成される。
【０１０５】
次に、挿入工程においては、蓋１１に取り付けられた電極体３をケース本体１０内に挿入し、蓋１１をケース本体１０の開口部に配置する。
【０１０６】
そして、蓋溶接工程においては、蓋１１の外周縁部をケース本体１０の開口縁部に溶接する。その後の電解液注入工程は、蓋１１に形成されており、図示されていない電解液注入口から電解液を収容ケース２内に注入する工程と、電解液を注入した後に電解液注入口を閉塞する工程とを含む。このようにして、本実施の形態に係る蓄電装置１を作成することができる。
【０１０７】
今回開示された実施の形態はすべての点で例示であって制限的なものではないと考えられるべきである。本発明の範囲は請求の範囲によって示され、請求の範囲と均等の意味および範囲内でのすべての変更が含まれることが意図される。
【符号の説明】
【０１０８】
１，１Ａ  蓄電装置、２，２Ａ  収容ケース、３，３Ａ  電極体、４，４Ａ  正極端子、５，５Ａ  負極端子、６，６Ａ  電流遮断装置、７，７Ａ  正極集電板、８，８Ａ  負極集電板、１０  ケース本体、１１，１１Ａ  蓋、１２，１２Ａ  正極タブ、１３，１３Ａ，１３Ｂ  負極タブ、１５，７０  ホルダー、１６，１７，１８，２６，２８，４２，４５，４９  貫通孔、１９，３４，５２  溶接部、２０，７５  インシュレータ、２１，７６  端子、２２，７７  接続板、２３  ナット、２４，７８  座部、２５，６８，７９  軸部、２７  凹部、２９，４３，４６，７２  筒部、３０，３０Ｂ，６７，６７Ｂ  リベット、３１  スペーサ、３２  閉塞板、３３  反転板、３５  シール部材、３７  カップ部、３８  底板、３９  周壁、４０，４４，６３  鍔部、４１  段差部、４７，４８，６９  係合部、５０  下端面、５１  上端面、５３  円筒面、５４  テーパ面、５７  周面、５８  カット部、５９  切欠部、６０  通気口、６１  中央板、６２  テーパ部、６４  作動圧室、６６  板部、７１  天板。
【図１】
2020068058.tif 000003
【図２】
2020068058.tif 000004
【図３】
2020068058.tif 000005
【図４】
2020068058.tif 000006
【図５】
2020068058.tif 000007
【図６】
2020068058.tif 000008
【図７】
2020068058.tif 000009
【図８】
2020068058.tif 000010
【図９】
2020068058.tif 000011
【図１０】
2020068058.tif 000012
【図１１】
2020068058.tif 000013
【図１２】
2020068058.tif 000014
【図１３】
2020068058.tif 000015
【図１４】
2020068058.tif 000016
【図１５】
2020068058.tif 000017
【図１６】
2020068058.tif 000018
【図１７】
2020068058.tif 000019
【図１８】
2020068058.tif 000020
【図１９】
2020068058.tif 000021